(57)【特許請求の範囲】
【請求項１】
トレイにセットされたディスクを開口部から出し入れして、入れた状態で読み取り走査するようにしたＤＶＤプレーヤーにおいて、プレーヤー本体内に２つのトレイがそれぞれ出し入れされる収納部が横向きに近接して２箇所設けられるとともに、ディスクがセットされるトレイを出し入れする開口部が２箇所設けられ、一方側のトレイが収納される収納部の上側に開閉蓋が設けられ、前記プレーヤー本体内には、一方側のトレイにセットされたディスクをチャッキングするチャッキング機構が内蔵され、このチャッキング機構によって一方側のトレイにセットされた読取り再生後のディスクを前記チャッキング機構で掴んで他方側のトレイに運ぶようにされる左右移動可能な移動機構が設けられ、前記チャッキング機構と移動機構によって他方のトレイに複数枚のディスクが溜められるようにしたことを特徴とするＤＶＤプレーヤー。
【請求項２】
トレイにセットされたディスクを開口部から出し入れして、入れた状態で読み取り走査するようにしたＤＶＤプレーヤーにおいて、プレーヤー本体内に２つのトレイがそれぞれ出し入れされる収納部が横向きに近接して２箇所設けられるとともに、ディスクがセットされるトレイを出し入れする開口部が２箇所設けられ、一方側のトレイが収納される収納部の上側に開閉蓋が設けられ、前記プレーヤー本体内において、一方側のトレイの読取り再生後のディスクが他方側に移動されるように構成し、他方のトレイに複数枚のディスクが溜められるようにしたことを特徴とするＤＶＤプレーヤー。
【請求項３】
前記プレーヤー本体内には、一方側のトレイで読取り再生されたトレイのディスクを掴んで上向きに持ち上げることが可能なチャッキング機構が設けられ、このチャッキング機構は、中心に配設された磁石からなるロッドと、このロッドを上向きに移動させるためのコイルと、前記ロッドの下部側が上下移動可能に嵌め入れ、ロッドが磁性によって上向きに持ち上げられたときに、下端部が開いて前記トレイ内にセットされたディスクが上向きに持ち上げられる筒状体と、前記ロッドの上側に設けられ、前記ロッドと前記筒状体と前記コイルとを磁性で上下させるための大コイルとから構成されている請求項２に記載のＤＶＤプレーヤー。
【請求項４】
前記プレーヤー本体内には、読取り再生後の前記ディスクを一方側のトレイから他方側のトレイに移動させるための移動機構が設けられ、この移動機構は、前記２つのトレイに跨がっていて、中央部に前記読取り再生後のディスクを他方のトレイに移動させるための長孔が形成された横長のガイド板と、このガイド板の上面に設けられたガイド爪でガイド移動され、長手方向一方側にラック歯が形成された移動部材と、前記ラック歯に噛み合い前記移動部材を移動させるギヤを有するモーターとで構成されている請求項２又は３に記載のＤＶＤプレーヤー。
【請求項５】
前記移動部材には、前記ガイド板のガイド爪が係入する細長孔が一端側の縁部から他方側の縁部近傍箇所まで前後一対設けられている請求項４に記載のＤＶＤプレーヤー。
【発明の詳細な説明】
【技術分野】
【０００１】
本発明は、トレイにセットされたディスクを開口部から出し入れして、入れた状態で読取り走査するようにしたＤＶＤプレーヤーに関し、特に、二つのトレイが異なる二つの開口部から出し入れされて一方のトレイにディスクを溜めることが可能なＤＶＤプレーヤーに関するものである。
【背景技術】
【０００２】
一般に、ＤＶＤプレーヤーにおけるディスクをセットし、開口部から出し入れされるトレイは一つ設けられていて、このために、ディスクの入れ替え時に、ディスクを持ち替えなくてはならないといった面倒な作業を必要とするという問題があった。
【０００３】
第１の従来技術を図７、図８、図９、図１０に示す。筐体１０１の前面操作部１０２にメディアを出し入れする唯一の開口部１０５が形成されると共に、筐体１０１の内部にはメディアを再生する手段を備えた２つのドライブユニット１０６Ａ、１０６Ｂが設けられる。各ドライブユニット１０６Ａ、１０６Ｂは上下で相対向し、その各一端面が開口部１０５と交互に正対するよう昇降可能とされる。又、開口部１０５と各ドライブユニット１０６Ａ、１０６Ｂとの間にはメディアを移送するためのガイドローラ１０７が設けられる。一方のドライブユニット１０６Ａを開口部１０５に正対させた状態で、開口部１０５に例えばカーナビけーション用メディアを挿入すると、これがガイドローラ１０７によりドライブユニット１０６Ａに案内される。そして、そのドライブユニット１０６Ａでカーナビゲーション用メディアを再生しているとき、他方のドライブユニット１０６Ｂを開口部１０５に正対する位置に移動させ、これにＣＤなど別のメディアを装着して再生することができる。（例えば、特許文献１参照）。
【０００４】
ところが、これにおいては、開口部１０５が一箇所だけ設けられているものであり、各メディアＤ１、Ｄ２を再生する２つのドライブユニット１０６Ａ、１０６Ｂを上下に移動して、各ドライブユニット１０６Ａ、１０６Ｂを上下させて一つの開口部１０５から出し入れしなくてはならなかった。また各ドライブユニットには、複数のメディアを溜めておくものではなかった。
【０００５】
【特許文献１】特開２００２−９３０１２号公報
【発明の開示】
【発明が解決しようとする課題】
【０００６】
本発明は、上記従来の問題に鑑みてなされたものであって、読取り再生後の複数のディスクを一方側のトレイに溜めておくことができ、ディスクの入れ替え時にディスクを持ち替える必要がなくて、ディスクの入れ替え作業を楽に行えるＤＶＤプレーヤーを提供することを目的としている。
【課題を解決するための手段】
【０００７】
本発明は、上記課題を解決するために提案されたものであって、請求項１に記載の発明は、トレイにセットされたディスクを開口部から出し入れして、入れた状態で読み取り走査するようにしたＤＶＤプレーヤーにおいて、プレーヤー本体内に２つのトレイがそれぞれ出し入れされる収納部が横向きに近接して２箇所設けられるとともに、ディスクがセットされるトレイを出し入れする開口部が２箇所設けられ、一方側のトレイが収納される収納部の上側に開閉蓋が設けられ、前記プレーヤー本体内には、一方側のトレイにセットされたディスクをチャッキングするチャッキング機構が内蔵され、このチャッキング機構によって一方側のトレイにセットされた読取り再生後のディスクを前記チャッキング機構で掴んで他方側のトレイに運ぶようにされる左右移動可能な移動機構が設けられ、前記チャッキング機構と移動機構によって他方のトレイに複数枚のディスクが溜められるようにしたことを特徴としている。
【０００８】
請求項２に記載の発明は、トレイにセットされたディスクを開口部から出し入れして、入れた状態で読み取り走査するようにしたＤＶＤプレーヤーにおいて、プレーヤー本体内に２つのトレイがそれぞれ出し入れされる収納部が横向きに近接して２箇所設けられるとともに、ディスクがセットされるトレイを出し入れする開口部が２箇所設けられ、一方側のトレイが収納される収納部の上側に開閉蓋が設けられ、前記プレーヤー本体内において、一方側のトレイの読取り再生後のディスクが他方側に移動されるように構成し、他方のトレイに複数枚のディスクが溜められるようにしたことを特徴としている。
【０００９】
請求項３に記載の発明は、前記プレーヤー本体内には、一方側のトレイで読取り再生されたトレイのディスクを掴んで上向きに持ち上げることが可能なチャッキング機構が設けられ、このチャッキング機構は、中心に配設された磁石からなるロッドと、このロッドを上向きに移動させるためのコイルと、前記ロッドの下部側が上下移動可能に嵌め入れ、ロッドが磁性によって上向きに持ち上げられたときに、下端部が開いて前記トレイ内にセットされたディスクが上向きに持ち上げられる筒状体と、前記ロッドの上側に設けられ、前記ロッドと前記筒状体と前記コイルとを磁性で上下させるための大コイルとから構成されているものである。
【００１０】
請求項４に記載の発明は、前記プレーヤー本体内には、読取り再生後の前記ディスクを一方側のトレイから他方側のトレイに移動させるための移動機構が設けられ、この移動機構は、前記２つのトレイに跨がっていて、中央部に前記読取り再生後のディスクを他方のトレイに移動させるための長孔が形成された横長のガイド板と、このガイド板の上面に設けられたガイド爪でガイド移動され、長手方向一方側にラック歯が形成された移動部材と、前記ラック歯に噛み合い前記移動部材を移動させるギヤを有するモーターとで構成されているものである。
請求項５に記載の発明は、前記移動部材には、前記ガイド板のガイド爪が係入する細長孔が一端側の縁部から他方側の縁部近傍箇所まで前後一対設けられているものである。
【発明の効果】
【００１１】
請求項１に記載の発明は、トレイにセットされたディスクを開口部から出し入れして、入れた状態で読み取り走査するようにしたＤＶＤプレーヤーにおいて、プレーヤー本体内に２つのトレイがそれぞれ出し入れされる収納部が横向きに近接して２箇所設けられるとともに、ディスクがセットされるトレイを出し入れする開口部が２箇所設けられ、一方側のトレイが収納される収納部の上側に開閉蓋が設けられ、プレーヤー本体内には、一方側のトレイにセットされたディスクをチャッキングするチャッキング機構が内蔵され、このチャッキング機構によって一方側のトレイにセットされた読取り再生後のディスクをチャッキング機構で掴んで他方側のトレイに運ぶようにされる左右移動可能な移動機構が設けられ、チャッキング機構と移動機構によって他方のトレイに複数枚のディスクが溜められるようにしたので、以下に述べる効果を奏する。
【００１２】
即ち、チャッキング機構と移動機構によって、ディスクを一方のトレイから他方のトレイに自動的に移しかえることができて、読取り再生後の複数のディスクを一方側のトレイに溜めておくことができ、ディスクの入れ替え時にディスクを持ち替える必要がなくて、ディスクの入れ替え作業を楽に行うことができる。更に、開閉蓋を開けることによって、上側からでもディスクを取り出すことができる。
【００１３】
請求項２に記載の発明は、トレイにセットされたディスクを開口部から出し入れして、入れた状態で読み取り走査するようにしたＤＶＤプレーヤーにおいて、プレーヤー本体内に２つのトレイがそれぞれ出し入れされる収納部が横向きに近接して２箇所設けられるとともに、ディスクがセットされるトレイを出し入れする開口部が２箇所設けられ、一方側のトレイが収納される収納部の上側に開閉蓋が設けられ、プレーヤー本体内において、一方側のトレイの読取り再生後のディスクが他方側に移動されるように構成し、他方のトレイに複数枚のディスクが溜められるようにしたので、以下に述べる効果を奏する。
【００１４】
即ち、読取り再生後の複数のディスクを一方側のトレイに溜めておくことができ、ディスクの入れ替え時にディスクを持ち替える必要がなくて、ディスクの入れ替え作業を楽に行うことができる。更に、開閉蓋を開けることによって、上側からでもディスクを取り出すことができる。
【００１５】
請求項３に記載の発明は、プレーヤー本体内には、一方側のトレイで読取り再生されたトレイのディスクを掴んで上向きに持ち上げることが可能なチャッキング機構が設けられ、このチャッキング機構は、中心に配設された磁石からなるロッドと、このロッドを上向きに移動させるためのコイルと、ロッドの下部側が上下移動可能に嵌め入れ、ロッドが磁性によって上向きに持ち上げられたときに、下端部が開いてトレイ内にセットされたディスクが上向きに持ち上げられる筒状体と、ロッドの上側に設けられ、ロッドと筒状体とコイルとを磁性で上下させるための大コイルとから構成されているので、大コイルの磁性によってロッドをトレイにセットされたディスクの中心穴に自動的に挿入することができ、その後にコイルの磁性によってロッドを上向きに移動して筒状体の下端部を開いてディスクを確実且つ簡単にチャッキングして、トレイから持ち上げることができる。
【００１６】
請求項４に記載の発明は、プレーヤー本体内には、読取り再生後のディスクを一方側のトレイから他方側のトレイに移動させるための移動機構が設けられ、この移動機構は、２つのトレイに跨がっていて、中央部に読取り再生後のディスクを他方のトレイに移動させるための長孔が形成された横長のガイド板と、このガイド板の上面に設けられたガイド爪でガイド移動され、長手方向一方側にラック歯が形成された移動部材と、ラック歯に噛み合い前記移動部材を移動させるギヤを有するモーターとで構成されているので、モーターの駆動によって回転されるギヤに噛み合うラック歯を有する移動部材を一方のトレイ側から他方のトレイ側に移動することができ、この移動に伴って読取り再生後のディスクを一方側のトレイから他方側のトレイに簡単且つ確実に移動することができる。そして、移動した後に他方側のトレイにディスクを溜めておくことができる。
【００１７】
請求項５に記載の発明は、移動部材には、ガイド板のガイド爪が係入する細長孔が一端
側の縁部から他方側の縁部近傍箇所まで前後一対設けられているので、移動部材を一方のトレイ側から他方のトレイ側にスムーズにガイドして移動することができる。
【発明を実施するための最良の形態】
【００１８】
以下、本発明に係るＤＶＤプレーヤーの実施の形態について、図を参照しつつ説明する。
図１は本発明のＤＶＤプレーヤーの概略斜視図、図２は同プレーヤーにおける移動機構を示し、（ａ）はディスクの読取り走査時の一方のトレイ側に移動部材が位置する状態の内部の平面図、（ｂ）はディスクを読取り走査後に溜めておく側の他方のトレイ側に位置する状態の内部の平面図、図３は同プレーヤーの内部構造を概略示す側面断面図、図４は同プレーヤーの移動部材の構造を示す部分斜視図、図５は同プレーヤーのチャッキング機構におけるディスクの中心穴にロッドを挿入する前の状態を示す部分断面図、図６は同プレーヤーのチャッキング機構の動作を示し、（ａ）はそのロッドがディスクの中心穴に挿入された状態の部分断面図、（ｂ）はそのディスクをチャッキングして持ち上げた状態の部分断面部である。
【００１９】
本実施形態のＤＶＤプレーヤーは、図１に示すように、プレーヤー本体１内に２つのトレイ２、３がそれぞれ出し入れされる収納部４、５が横向きに近接して２箇所設けられるとともに、ディスクＤがセットされるトレイ２、３を出し入れする開口部１ａ、１ｂが２箇所設けられ、左側のトレイ２が収納される収納部４の上側に開閉蓋６が開閉可能に設けられている。
また、プレーヤー本体１内には、一方側のトレイ３にセットされたディスクＤをチャッキングするチャッキング機構７（図３、図５、図６参照）が内蔵されている。更に、このチャッキング機構７によって右側のトレイ３にセットされた読取り再生後のディスクＤをチャッキング機構７で掴んで左側のトレイ２に運ぶようにされる左右移動可能な移動機構８（図２、図３、図４参照）が設けられている。そして、チャッキング機構７と移動機構８によって右側のトレイ３でチャッキングされたディスクＤが左方に移動されて左側のトレイ２に複数枚のディスクＤが溜められるようにしている。
【００２０】
上記した移動機構８は、図２（ａ）（ｂ）、図４に示すように、プレーヤー本体１内で２つのトレイ２、３に跨がっていて、中央部に読取り再生後のディスクＤを左側のトレイ２に移動させるための長孔９ａが形成された横長のガイド板９と、このガイド板９の上面に設けられた４箇所のガイド爪１０が前後一対設けられた細長孔１２ａ、１２ｂに入り込んでガイドされて移動され、長手方向一方側にラック歯１１が形成された移動部材１２と、ラック歯１１に噛み合い移動部材１２を移動させるギヤ１３を有するモータ１４とで構成されている。細長穴１２ａ、１２ｂは移動部材１２の右側の縁部から左側の縁部近傍箇所まで設けられている。
【００２１】
上記したチャッキング機構７は、図３、図５、図６（ａ）（ｂ）に示すように、中心に配設された磁石からなるロッド１５と、このロッド１５を上向きに移動させるためのコイル１６と、ロッド１５の下部側が上下移動完納に嵌め入れ、ロッド１５が磁性によって上向きに持ち上げられたときに、下端部１７ａが開いてトレイ３内にセットされたディスクＤが上向きに持ち上げられる筒状体１７と、ロッド１５の上側に設けられ、ロッド１５と筒状体１７とコイル１６とを磁性で上下させるための大コイル１８とから構成されている。
ロッド１５の上端には水平向きに金属製の板材１９が取り付けられ、この板材１９の左右一対の穴１９ａ、１９ｂに大コイル１８の左右両側から垂設された略Ｌ字形のガイド片１８ａ、１８ｂが挿通されていて、このガイド片１８ａ、１８ｂにガイドされて、大コイル１８の磁性で板材１９が上下移動されてロッド１５が上下移動されるようになっている。
【００２２】
次に、上記の構成を有するＤＶＤプレーヤーの動作について説明する。
図３に示すように、プレーヤー本体１内の収納部４、５にトレイ２、３が収納されている状態で、右側のトレイ３にセットされているディスクＤの読取り走査が終了した後、チャッキング機構７の大コイル１８の磁性でロッド１５が筒状体１７と一体に図５の状態から図６の状態まで下降され、ロッド１５と筒状体１７がディスクＤの中心穴ｄに挿入される。次に、コイル１６の磁性で磁石からなるロッド１５が上向きに移動され、筒状体１７の下端部１７ａが開かれて図６（ｂ）に示すように、ディスクＤがチャッキングされる。
そして、大コイル１８の磁性でロッド１５と筒状体１７が上昇され、ディスクＤが右側のトレイ３の上方に移動される。
【００２３】
この状態で、モータ１４の駆動でギヤ１３が回転し、このギヤ１３とラック歯１１の噛み合いで移動部材１２が図２（ａ）の状態から左側に移動し、図２（ｂ）の状態、即ち、左側のトレイ２の上側に移動する。この状態で大コイル１８の磁性が解かれてロッド１５と筒状体１７がトレイ２側に下降される。そして、コイル１６の磁性が解かれてロッド１５は下降するとともに、筒状体１７の下端部１７ａが閉まってディスクＤのチャッキングが外されてディスクＤは左側のトレイ２に溜められることとなる。
そして、左側のトレイ２がプレーヤー本体１の開口部１ａから外側に出されることによって溜められているディスクＤを取り出すことができる。もしくは、開閉蓋６を開けることによって、内部のトレイ２内のディスクＤを上側から取り出すことができる。
右側のトレイ３はプレーヤー本体１の他方の開口部１ｂから外側に出されることで、このトレイ３に別のディスクＤをセットすることができる。更に、この右側のトレイ３が再び開口部１ｂからプレーヤー本体１内の収納部５に収納されることによって、このトレイ３にセットされた別のディスクＤが読取り走査される。
【００２４】
この実施形態によれば、チャッキング機構７と移動機構８によって、ディスクＤを右側のトレイ３から左側トレイ２に自動的に移しかえることができて、読取り再生後の複数のディスクＤを左側のトレイ２に溜めておくことができ、ディスクＤの入れ替え時にディスクＤを持ち替える必要がなくて、ディスクＤの入れ替え作業を楽に行うことができる。更に、開閉蓋６を開けることによって、上側からでもディスクＤを取り出すことができる。
また、チャッキング機構７の大コイル１８の磁性によってロッド１５をトレイ３にセットされたディスクＤの中心穴ｄに自動的に挿入することができ、その後にコイル１６の磁性によってロッド１５を上向きに移動して筒状体１７の下端部を開いてディスクＤを確実且つ簡単にチャッキングして、トレイ３から持ち上げることができる。
【００２５】
更に、移動機構８のモーター１４の駆動によって回転されるギヤ１３に噛み合うラック歯１１を有する移動部材１２を右側のトレイ３側から左側のトレイ２側に移動することができ、この移動に伴って読取り再生後のディスクＤを右側のトレイ３から左側のトレイ２に簡単且つ確実に移動することができる。そして、移動した後に左側のトレイ２にディスクＤを溜めておくことができる。
しかも、ガイド板９のガイド爪１０が係入する細長孔１２ａ、１２ｂが右側の縁部から左側の縁部近傍箇所まで前後一対設けられているので、移動部材１２を一方のトレイ側２又は３から他方のトレイ側３又は２にスムーズにガイドして移動することができる。
【図面の簡単な説明】
【００２６】
【図１】本発明のＤＶＤプレーヤーの概略斜視図である。
【図２】同プレーヤーにおける移動機構を示し、（ａ）はディスクの読取り走査時の一方のトレイ側に移動部材が位置する状態の内部の平面図、（ｂ）はディスクを読取り走査後に溜めておく側の他方のトレイ側に位置する状態の内部の平面図である。
【図３】同プレーヤーの内部構造を概略示す側面断面図である。
【図４】同プレーヤーの移動部材の構造を示す部分斜視図である。
【図５】同プレーヤーのチャッキング機構におけるディスクの中心穴にロッドを挿入する前の状態を示す部分断面図である。
【図６】同プレーヤーのチャッキング機構の動作を示し、（ａ）はそのロッドがディスクの中心穴に挿入された状態の部分断面図、（ｂ）はそのディスクをチャッキングして持ち上げた状態の部分断面部である。
【図７】従来のメディア駆動装置を示し、（ａ）はその斜視図、（ｂ）はその内部構造を示した側面断面図である。
【図８】同装置の内部構造を示した正面断面図である。
【図９】同装置の作動状態を順に示した動作説明図である。
【図１０】同装置の他例の内部構造を示した側面断面図である。
【符号の説明】
【００２７】
Ｄ              ディスク
１              プレーヤー本体
１ａ、１ｂ      開口部
２              左側のトレイ
３              右側のトレイ
４、５          収納部
６              開閉蓋
７              チャッキング機構
８              移動機構
９              ガイド板
９ａ            長孔
１０            ガイド爪
１１            ラック歯
１２            移動部材
１２ａ、１２ｂ  細長孔
１３            ギヤ
１４            モータ
１５            ロッド
１６            コイル
１７            筒状体
１７ａ          下端部
１８            大コイル
１８ａ、１８ｂ  ガイド片
１９            板材
１９ａ、１９ｂ  左右一対の穴
【図１】
0003681002.tif 000002
【図２】
0003681002.tif 000003
【図３】
0003681002.tif 000004
【図４】
0003681002.tif 000005
【図５】
0003681002.tif 000006
【図６】
0003681002.tif 000007
【図７】
0003681002.tif 000008
【図８】
0003681002.tif 000009
【図９】
0003681002.tif 000010
【図１０】
0003681002.tif 000011